(57)【要約】【課題】  厨房ダクトなどの長尺な配管内を、入口から出口まで全体にわたって洗浄することができる簡便な配管洗浄装置を提供する。【解決手段】  ダクト洗浄装置１０は、可撓性を有するフレキシブルシャフト１２と、洗浄部２０と、モータボックス４０により構成される。前記フレキシブルシャフト１２は、アウターチューブ１４の内側に、前記モータボックス４０内に収納された駆動用モータ４２により回転するインナーシャフト１６が設けられた構成となっており、前記洗浄部２０と着脱可能に接続される。前記洗浄部２０は、複数の略環状のブラシ２６と吸着マット３２が交互に取り付けられた構成となっている。洗浄前に、前記吸着マット３２に洗浄液３８を塗布し、インナーシャフト１６を回転させると、遠心力によって洗浄液３８がダクト６２の内面に供給され、ブラシ２６により汚れが洗浄される。【選択図】図１
0003117085.tif 000002
【実用新案登録請求の範囲】
【請求項１】
可撓性を有する回転軸，
該回転軸を回転させる駆動手段，
前記回転軸の先端に設けられており、配管に挿通可能であって、回転によって前記配管の内部を洗浄する洗浄手段，
を備えるとともに、前記洗浄手段が、
前記回転軸の径方向に突出し、前記配管の内面と接触するブラシ体，
洗浄液を吸収ないし吸着により保持可能であって、前記ブラシ体に近接して設けられる洗浄液保持体，
を含むことを特徴とする配管洗浄装置。
【請求項２】
前記ブラシ体が略環状であって、前記洗浄手段の長手方向に複数段設けられるとともに、これらブラシ体の間に、前記洗浄液保持体を配置したことを特徴とする請求項１記載の配管洗浄装置。
【請求項３】
前記ブラシ体が、前記洗浄手段の長手方向に螺旋状に設けられるとともに、該ブラシ体によって形成される段の間に、前記洗浄液保持体を配置したことを特徴とする請求項１記載の配管洗浄装置。
【請求項４】
前記洗浄手段が、前記回転軸に対して着脱可能であることを特徴とする請求項１〜３のいずれかに記載の配管洗浄装置。
【請求項５】
前記回転軸の回転速度が調節可能であることを特徴とする請求項１〜４のいずれかに記載の配管洗浄装置。
【請求項６】
前記回転軸の回転方向が切換可能であることを特徴とする請求項１〜５のいずれかに記載の配管洗浄装置。
【考案の詳細な説明】
【技術分野】
【０００１】
本考案は、配管洗浄装置に関し、更に具体的には、長尺配管の洗浄ないし清掃に適した配管洗浄装置に関するものである。
【背景技術】
【０００２】
近年の食文化の変化によって、厨房のレンジフードやダクトの汚れが強くなり、臭気や火災等の社会問題となりつつある。特に、集合住宅などにおいては、ダクトの端部間，すなわち、換気扇から排気口までの距離が長い場合が多く、また、ダクトが直線状とは限らず屈曲部などを含む場合もあるため、付着する汚れの程度が大きい傾向にある。
【考案の開示】
【考案が解決しようとする課題】
【０００３】
しかしながら、厨房のレンジフードの清掃は、入口フィルタ，フード周り，換気扇，ダクト末端の排気口などの、手が届く範囲については行われるものの、ダクトの中間部分については、洗浄ないし清掃に困難さを伴う。このようなダクトの洗浄ないし清掃装置としては、下記特許文献に示すものが提案されている。しかし、いずれも装置構成が複雑で高価である。ダクト全体の洗浄を簡単に行うことができる簡便な装置があれば、定期的な洗浄も可能となるため、臭気や火災の防止の観点からも都合がよい。
【特許文献１】特開２０００−２７９９０７
【特許文献２】特表２００２−５０５９５５
【０００４】
本考案は、以上の点に着目したもので、その目的は、厨房ダクトなどの長尺で直線状に限定されないような配管内を、入口，中間部，出口にいたるまで全体にわたって洗浄することができる簡便な配管洗浄装置を提供することである。
【課題を解決するための手段】
【０００５】
前記目的を達成するため、本考案の配管洗浄装置は、可撓性を有する回転軸，該回転軸を回転させる駆動手段，前記回転軸の先端に設けられており、配管に挿通可能であって、回転によって前記配管の内部を洗浄する洗浄手段，を備えるとともに、前記洗浄手段が、前記回転軸の径方向に突出し、前記配管の内面と接触するブラシ体，洗浄液を吸収ないし吸着により保持可能であって、前記ブラシ体に近接して設けられる洗浄液保持体，を含むことを特徴とする。
【０００６】
主要な形態の一つは、前記ブラシ体が略環状であって、前記洗浄手段の長手方向に複数段設けられるとともに、これらブラシ体の間に、前記洗浄液保持体を配置したこと，あるいは、前記ブラシ体が、前記洗浄手段の長手方向に螺旋状に設けられるとともに、該ブラシ体によって形成される段の間に、前記洗浄液保持体を配置したことを特徴とする。
【０００７】
他の形態は、前記洗浄手段が、前記回転軸に対して着脱可能であることを特徴とする。更に他の形態は、前記回転軸の回転速度が調節可能であることを特徴とする。更に他の形態は、前記回転軸の回転方向が切換可能であることを特徴とする。本考案の前記及び他の目的，特徴，利点は、以下の詳細な説明及び添付図面から明瞭になろう。
【考案の効果】
【０００８】
本考案は、配管内面に接触するブラシ体と、洗浄液を吸収ないし吸着可能な洗浄液保持体とを備えた洗浄手段を、可撓性を有する回転軸の先端に設けて、その回転による遠心力を利用して、前記洗浄液を洗浄部位に供給することとした。このため、回転力のみによって洗浄液の供給とブラシ体による洗浄が可能になるという効果が得られる。また、前記回転軸が可撓性を有するため、配管の形状によらず、洗浄を行うことができる。
【考案を実施するための最良の形態】
【０００９】
以下、本考案を実施するための最良の形態を、実施例に基づいて詳細に説明する。
【実施例１】
【００１０】
最初に、図１及び図２を参照しながら本考案の実施例１を説明する。図１は、本実施例の全体構成を示す図，図２は、本実施例の洗浄部を示す図であり、(A)は分解斜視図，(B)は着脱の様子を示す図である。図１に示すように、本実施例は、本考案の配管洗浄装置を、厨房のレンジフード６０内に入口が設けられたダクト６２の洗浄（ないし清掃）に用いるものである。なお、前記ダクト６２は、図示のように、屈曲部６４を有しており、全体が図示しない天井内に配設されている。
【００１１】
本実施例のダクト洗浄装置１０は、可撓性を有するフレキシブルシャフト１２と、その駆動用モータ４２が収納されたモータボックス４０と、前記フレキシブルシャフト１２の先端に設けられた洗浄部２０により構成されている。前記フレキシブルシャフト１２は、アウターチューブ１４の内側に、回転可能なインナーシャフト１６が設けられた公知の構成となっており、端部の接続口１８が、前記洗浄部２０と連結可能となっている。また、前記モータボックス４０は、内側に収納された駆動用モータ４２のほか、電源のＯＮ／ＯＦＦを切り換えるためのスイッチ４４，電源がＯＮの状態のときに点灯するランプ４６，フレキシブルシャフト１２の回転速度を調節する速度調節つまみ４８，回転方向を切り換える（反転させる）回転切換スイッチ５０を備えている。なお、前記駆動用モータ４２によって回転するのは、公知の通り、インナーシャフト１６のみであって、軸受けとして作用するアウターチューブ１４が回転することはない。
【００１２】
次に、図２も参照して、洗浄部２０について説明する。洗浄部２０は、前記フレキシブルシャフト１２の接続口１８に着脱可能に連結される連結部材２２と、複数の略環状のブラシ２６及び吸着マット（ないし吸収マット）３２と、固定板３４により構成されている。前記連結部材２２は、フランジ部２４を備えており、該フランジ部２４を境にした一方は、前記複数のブラシ２６及び吸着マット３２の中央の穴に挿通される軸部２２Ａとなっている。また、前記フランジ部２４を境にした他方の端部２２Ｂは、前記フレキシブルシャフト１２の接続口１８と着脱可能に接続され、該フレキシブルシャフト１２のインナーシャフト１６の回転が伝達される構成となっている。なお、このような連結部材２２と接続口１８の接続機構は、公知の各種の機構が適用可能である。
【００１３】
一方、前記ブラシ２６は、略環状の基部２８に、多数の毛３０が放射状に埋め込まれたものである。該毛３０の長さは、洗浄部２０を前記ダクト６２内に挿入したときに、先端がダクト内面と接触して洗浄ないし清掃可能な長さに設定されている。また、前記基部２８には、切れ込み２９が設けられており、該切れ込み２９を押し広げることにより、連結部材２２の軸部２２Ａの径が若干大きいような場合でも、ブラシ２６を軸部２２Ａに押し込んで取り付けることができる。なお、前記基部２８としては例えば金属が用いられ、前記毛３０としては、例えば合成樹脂などが用いられる。前記吸着マット３２は、前記ブラシ２６と同様に、略環状であって、前記軸部２２Ａに取り付けられる。該吸着マット３２は、ダクト６２の内面を洗浄するときに用いられる洗浄液３８を、吸収ないし吸着保持するためのものであり、例えば、布やスポンジなどをマット状にしたものが用いられる。
【００１４】
前記洗浄部２０は、前記軸部２２Ａに、ブラシ２６と吸着マット３２を交互に取り付けて、その先端を固定板３４及びボルト３６により固定することによって組み立てられる。使用時には、前記吸着マット３２に予め洗浄液３８を含ませておき、回転による遠心力を利用してダクト６２の内面またはブラシ２６に洗浄液３８を供給する。このような洗浄部２０は、図２(B)に示すように、他の洗浄部２０Ａ，２０Ｂ，２０Ｃと交換が可能となっており、必要に応じて、各洗浄部の吸着マット３２に含ませる洗浄液の濃度や種類を変えて用いることができる。
【００１５】
次に、本実施例の作用を説明する。まず、レンジフード６０からフィルタや換気扇を取り外し、図示しない内視鏡（ＣＣＤカメラなど）により、ダクト６２内部の汚れの状態を事前に確認する。そして、汚れの状態に応じて、洗浄部２０の吸着マット３２に適当な濃度や種類の洗浄液３８を塗布し、洗浄部２０をダクト６２内に挿入する。そして、モータボックス４０のスイッチ４４をＯＮにしてインナーシャフト１６を回転させると、それに伴って洗浄部２０が回転する。洗浄部２０が回転すると、ダクト６２の内面にブラシ２６の先端が接触して洗浄されるが、その際、前記吸着マット３２に塗布した洗浄液３８が、遠心力によりダクト６２の内面（またはブラシ２６）に飛び散って供給される。すると、回転によってブラシ２６とダクト６２内面が摩擦し、その熱によって洗浄液３８が加熱される。通常、洗浄液３８は、冷たい状態よりも、適度な温度に加熱されると洗浄効果が上がるが、本実施例でも適度な温度に洗浄液３８が温まることにより、一層の洗浄効果が得られる。
【００１６】
前記洗浄部２０は、フレキシブルシャフト１２に接続されているため、前記ダクト６２が屈曲部６４を有しているような場合であっても、ダクト６２の入口から出口まで無理なく洗浄を行うことができる。また、屈曲部６４を通すときには、必要に応じて回転の正逆を切り換えると有効な場合があるが、そのようなときには、前記モータボックス４０の回転切換スイッチ５０により回転方向を反転させる。また、速度調節が必要なときは、速度調節つまみ４８によって速度を調節する。
【００１７】
以上のような洗浄部２０は、ダクト６２内を数回往復させたあと、図２(B)に示すように、他の洗浄部２０Ａと交換される。例えば、洗浄部２０，２０Ａ，２０Ｂのそれぞれの吸着マット３２に高濃度，中濃度，低濃度の洗浄液３８を塗布し、洗浄部２０Ｃの吸着マット３２に図示しない仕上げ剤を塗布しておき、これらを、洗浄部２０，２０Ａ，２０Ｂ，２０Ｃの順に付け替えて使用することにより、汚れの落ち具合に応じて無理なくスムーズに洗浄を行うことができる。なお、洗浄によりダクト６２の内面から落ちた汚れは、洗浄部２０のブラシ２６にウエスなどを巻き付けて回転させることにより拭き取り、また、必要があれば、集塵機などで吸い取って除去する。
【００１８】
このように、実施例１によれば、次のような効果がある。
(1)複数のブラシ２６と吸着マット３２を交互に配置した洗浄部２０を、フレキシブルシャフト１２の先端に設け、インナーシャフト１６の回転による遠心力を利用して、前記吸着マット３２に予め塗布した洗浄液３８を、ダクト６２の内面に供給することとした。このため、回転力のみによって洗浄液３８の供給とブラシ２６による洗浄が可能となる。また、前記回転による摩擦熱により、前記洗浄液３８が加熱されるため、洗浄効果の向上を図ることができる。
(2)可撓性のフレキシブルシャフト１２を利用しているため、ダクト６２が屈曲部６４を有している場合でも、入口から出口までの全体を洗浄することができる。
(3)前記洗浄部２０を、フレキシブルシャフト１２に対して着脱可能としたため、必要に応じて洗浄液の濃度や種類を変えたものと交換することができる。
(4)回転速度の調節及び回転方向の切換を可能としたので、屈曲部６４などを通しやすい。
【実施例２】
【００１９】
次に、図３(A)を参照して、本考案の実施例２について説明する。上述した実施例１では、略環状のブラシ２６を複数段設けることとしたが、図３(A)に示す洗浄部７０のように、連結部材７２の外周面に、螺旋状にブラシ７４を設けるようにしてもよい。前記ブラシ７４は、螺旋状の基部７６から径方向に多数の毛７８が突出した構造となっている。また、本実施例では、吸着マット８０も螺旋状となっており、前記ブラシ７４で形成される段の間に挟まれるように取り付けられる。本実施例の基本的作用・効果は、上述した実施例１と同様である。
【００２０】
なお、本考案は、上述した実施例に限定されるものではなく、本考案の要旨を逸脱しない範囲内において種々変更を加え得ることができる。例えば、以下のものも含まれる。
(1)前記実施例で示した形状，大きさは一例であり、必要に応じて適宜変更してよい。また、材質についても一例であり、必要に応じて適宜変更可能である。例えば、前記実施例１では、吸着マット３２として布やスポンジを例に挙げたが、洗浄液３８を吸収ないし吸着したのちに、遠心力によって洗浄液３８を飛ばすことができるものであれば、公知の各種の材質を利用してよい。
(2)前記実施例１で示したブラシ２６と吸着マット３２の数及び配置も一例であり、同様の効果を奏するように適宜変更してよい。例えば、図３(B)に示すように、ブラシ２６間に、３枚ずつ吸着マット３２を設けるようにしてもよい。あるいは、図２(A)に示す洗浄部２０において、吸着マット３２毎に塗布する洗浄液３８の濃度を変えるようにしてもよい。例えば、先端側ほど濃度が高くなるようにするなどである。
(3)前記作用は一例であり、同様の効果を奏するように適宜変更してよい。例えば、前記実施例では、予めダクト６２の内部の汚れを内視鏡で確認することとしたが、これも一例であり、必要に応じて事前確認すればよい。また、前記実施例１では、複数の洗浄部２０，２０Ａ〜２０Ｃを交換して洗浄を行うこととしたが、汚れの程度に応じて、更に多数の洗浄部を使用するようにしてもよいし、一つの洗浄部のみで全ての洗浄を行うようにしてもよい。
(4)前記実施例は、本考案の配管洗浄装置を厨房用ダクトの洗浄に適用したものであるが、本考案は、他の長尺配管全般の洗浄に適用可能である。
【産業上の利用可能性】
【００２１】
本考案によれば、配管内面と接触するブラシ体と、洗浄液を吸収ないし吸着可能な洗浄液保持体とを備えた洗浄手段を、可撓性を有する回転軸の先端に設け、回転による遠心力を利用して、前記洗浄液保持体に保持された洗浄液を配管内面又はブラシ体に飛ばして供給する。このように、回転力のみによって洗浄液の供給とブラシ体による洗浄を可能としたので、配管の洗浄装置の用途に適用できる。特に、厨房用ダクトの洗浄装置の用途に好適である。
【図面の簡単な説明】
【００２２】
【図１】本考案の実施例１の全体構成を示す図である。
【図２】前記実施例１の洗浄部を示す図であり、(A)は分解斜視図，(B)は着脱の様子を示す図である。
【図３】本考案の他の実施例を示す図である。
【符号の説明】
【００２３】
１０：ダクト洗浄装置
１２：フレキシブルシャフト
１４：アウターチューブ
１６：インナーシャフト
１８：接続口
２０，２０Ａ，２０Ｂ，２０Ｃ：洗浄部
２２：連結部材
２２Ａ：軸部
２２Ｂ：端部
２４：フランジ部
２６：ブラシ
２８：基部
２９：切れ込み
３０：毛
３２：吸着マット（吸収マット）
３４：固定板
３６：ボルト
３８：洗浄液
４０：モータボックス
４２：駆動用モータ
４４：スイッチ
４６：ランプ
４８：速度調節つまみ
５０：回転切換スイッチ
６０：レンジフード
６２：ダクト
６４：屈曲部
７０：洗浄部
７２：連結部材
７４：ブラシ
７６：基部
７８：毛
８０：吸着マット
【図１】
0003117085.tif 000003
【図２】
0003117085.tif 000004
【図３】
0003117085.tif 000005